(57)【要約】      （修正有）【課題】利用者が販促キーワードの入力を行うことにより、ポイント付与を行うポイント管理システムを提供する。【解決手段】利用者が入力を行う入力端未と、ポイントの管理を行うポイント管理サーバからなるシステムであって、利用者の会員情報が登録されていない時に、利用者のメールアドレス・性別・年齢などの情報を登録する会員登録処理手段と、販促キーワード・販促期間・性別・年齢・地域・付与ポイント数などの販促条件情報を登録する販促登録処理手段と、入力された販促キーワードの照合を行う入力情報照合手段と、前記照合結果により、前記入力された文字列が、登録されている時には、会員情報が販促条件情報に適合するかを判断するポイント付与条件照合手段と、前記ポイント付与条件照合手段で、照合した結果に応じて、ポイントを付与するポイント付与手段を備えた。【選択図】図１
2007047951.tif 000002
【特許請求の範囲】
【請求項１】
利用者が入力を行う入力端未と、ポイントの管理を行うポイント管理サーバからなるシステムであって、前記ポイント管理サーバに前記入力端未を使用する利用者の会員情報が会員登録情報テーブルに登録されていない時に、利用者のメールアドレス・性別・年齢などの情報を前記会員登録情報テーブルに登録する会員登録処理手段と、販促キーワード・販促期間・性別・年齢・地域・付与ポイント数などの販促条件情報を前記ポイント管理サーバ内の販促登録情報テーブルに登録する販促登録処理手段と、前記入力端未より入力された販促キーワードとなる文字列を前記販促登録情報テーブルから照合を行う入力情報照合手段と、前記入力情報照合手段の照合結果により、前記入力された販促キーワードとなる文字列が、販促登録情報テーブルに登録されている時には、入力した会員の会員登録情報テーブルに登録されている会員情報が販促登録情報テーブルに登録されている販促条件情報に適合するかを判断するポイント付与条件照合手段と、前記ポイント付与条件照合手段で、照合した結果に応じて、ポイントを付与するポイント付与手段を備えたことを特徴としたポイント管理システム。
【請求項２】
請求項１において、前記入力情報照合手段の照合結果により、入力された前記文字列が、販促登録情報テーブルに登録されていない時には、前記文字列から企業コード・付与ポイント数などの情報を解読する平仮名暗号照合手段を備え、解読された情報に応じたポイントを利用者に対して付与することを特徴としたポイント管理システム。
【請求項３】
請求項１又は２において、前記ポイント付与条件手段は、先着人数を照合する先着人数照合手段と、利用者の性別を照合する性別照合手段と、利用者の年齢を照合する年齢照合手段と、利用者の住まいの地域を照合する地域照合手段によって、ポイント付与条件の照合を行うことを特徴としたポイント管理システム。
【請求項４】
請求項１乃至３のいずれか１項において、前記ポイント管理サーバ内の販促登録情報テーブルに登録された販促条件情報を、前記販促条件情報の販促期間を越えた時に、販促条件情報の削除を行う販促期間照合手段を備えたことを特徴としたポイント管理システム。
【請求項５】
請求項１乃至４のいずれか１項において、前記販促キーワードは、平仮名３文字から３１文字の単語又は文章であることを特徴としたポイント管理システム。
【請求項６】
請求項１乃至５のいずれか１項において、前記入力端未は、ブラウザ機能を搭載した携帯電話機かコンピュータであることを特徴としたポイント管理システム。
【発明の詳細な説明】
【技術分野】
【０００１】
本発明は、販促によりポイントを付与するシステムに関するものである。
【背景技術】
【０００２】
近年、販売促進活動において、インターネットを利用した販売促進活動が行われるようになり、販売促進を行う企業は、商品にキャンペーンのＵＲＬ又はＱＲコードなどを印字した印刷物を貼付し、その商品を購入した消費者は、ブラウザ機能付の携帯端末やコンピュータを用いて、販売促進を行う企業のサーバに接続してインセンティブを得ることができる。このようなインターネットを利用した販売促進の手法が、一般的な手法になりつつある。
【０００３】
また、商品に貼付された印刷物に、ユニークな複数桁の数字列を印字し、その商品を購入した消費者は、販売促進を行う企業のサーバに接続した際に、その数字列を入力することによって抽選が行われ、さらに高いインセンティブを得ることができる場合がある。このように高いインセンティブを与える手法の場合において、一度入力された数字列の再使用ができない処理が行われている。
【０００４】
従って利用者が入力する数字列は、ユニークな数字列であるが為に、無意味な数字列であり、利用者が、その数字列を記憶することは難しく、その数字列を入力する際には、印刷物を確認しながら入力を行うものであった。
【０００５】
また従来、本願出願人が出願した特開２００５−０５０１６７号公報の「禁止用語を除外した文字列の生成方法」を利用した平仮名による文字列であっても、その文字列には、意味の無い無作為に並んだ文字列を記憶することは、難しいことである。
【特許文献１】特開２００５−０５０１６７号公報
【発明の開示】
【発明が解決しようとする課題】
【０００６】
そこで、本発明は、上記従来技術の問題点に斯かる実情に鑑みなされたもので、インターネットなどのネットワーク回線を利用した販売促進システムであって、販促キーワードを利用者が覚えやすい意味のある単語又は文章とし、その販促キーワードを紙媒体に印刷された文字列、映像に映る文字列、音声で表現される文字列など介して伝聞させることができ、利用者が販促キーワードの入力を行うことにより、ポイント付与を行うことを目的としたポイント管理システムを提供することを課題とする。
【課題を解決するための手段】
【０００７】
請求項１記載の発明は、利用者が入力を行う入力端未と、ポイントの管理を行うポイント管理サーバからなるシステムであって、前記ポイント管理サーバに前記入力端未を使用する利用者の会員情報が会員登録情報テーブルに登録されていない時に、利用者のメールアドレス・性別・年齢などの情報を前記会員登録情報テーブルに登録する会員登録処理手段と、販促キーワード・販促期間・性別・年齢・地域・付与ポイント数などの販促条件情報を前記ポイント管理サーバ内の販促登録情報テーブルに登録する販促登録処理手段と、前記入力端未より入力された販促キーワードとなる文字列を前記販促登録情報テーブルから照合を行う入力情報照合手段と、前記入力情報照合手段の照合結果により、前記入力された販促キーワードとなる文字列が、販促登録情報テーブルに登録されている時には、入力した会員の会員登録情報テーブルに登録されている会員情報が販促登録情報テーブルに登録されている販促条件情報に適合するかを判断するポイント付与条件照合手段と、前記ポイント付与条件照合手段で、照合した結果に応じて、ポイントを付与するポイント付与手段を備えたことを特徴とする。
【０００８】
請求項２記載の発明は、請求項１において、前記入力情報照合手段の照合結果により、入力された前記文字列が、販促登録情報テーブルに登録されていない時には、前記文字列から企業コード・付与ポイント数などの情報を解読する平仮名暗号照合手段を備え、解読された情報に応じたポイントを利用者に対して付与することを特徴とする。
【０００９】
請求項３記載の発明は、請求項１又は２において、前記ポイント付与条件手段は、先着人数を照合する先着人数照合手段と、利用者の性別を照合する性別照合手段と、利用者の年齢を照合する年齢照合手段と、利用者の住まいの地域を照合する地域照合手段によって、ポイント付与条件の照合を行うことを特徴とする。
【００１０】
請求項４記載の発明は、請求項１乃至３のいずれか１項において、前記ポイント管理サーバ内の販促登録情報テーブルに登録された販促条件情報を、前記販促条件情報の販促期間を越えた時に、販促条件情報の削除を行う販促期間照合手段を備えたことを特徴とする。
【００１１】
請求項５記載の発明は、請求項１乃至４のいずれか１項において、前記販促キーワードは、平仮名３文字から３１文字の単語又は文章であることを特徴とする。
【００１２】
請求項６記載の発明は、請求項１乃至５のいずれか１項において、前記入力端未は、ブラウザ機能を搭載した携帯電話機かコンピュータであることを特徴とする。
【発明の効果】
【００１３】
請求項１記載の発明によれば、利用者が入力を行う入力端未と、ポイントの管理を行うポイント管理サーバからなるシステムであって、前記ポイント管理サーバに前記入力端未を使用する利用者の会員情報が会員登録情報テーブルに登録されていない時に、利用者のメールアドレス・性別・年齢などの情報を前記会員登録情報テーブルに登録する会員登録処理手段と、販促キーワード・販促期間・性別・年齢・地域・付与ポイント数などの販促条件情報を前記ポイント管理サーバ内の販促登録情報テーブルに登録する販促登録処理手段と、前記入力端未より入力された販促キーワードとなる文字列を前記販促登録情報テーブルから照合を行う入力情報照合手段と、前記入力情報照合手段の照合結果により、前記入力された販促キーワードとなる文字列が、販促登録情報テーブルに登録されている時には、入力した会員の会員登録情報テーブルに登録されている会員情報が販促登録情報テーブルに登録されている販促条件情報に適合するかを判断するポイント付与条件照合手段と、前記ポイント付与条件照合手段で、照合した結果に応じて、ポイントを付与するポイント付与手段を備えており、利用者は、入力端未からポイント管理サーバに接続し、販促キーワードの入力を行うことにより、ポイント付与条件照合手段の照合結果に応じて、容易にポイントを得ることができるポイント管理システムを提供できる。例えば、利用者は、携帯電話機やコンピュータからなる入力端未からインターネットなどのネットワーク回線を介してポイント管理システムに接続し、会員の認証を行う。その後、ポイント管理システムに対して販促キーワードの入力を行うと、利用者の会員情報と販売促進を行う企業の販促条件に合致すれば、ポイントが付与されるようになる。
【００１４】
請求項２記載の発明によれば、請求項１に記載の前記入力情報照合手段の照合結果により、入力された前記文字列が、販促登録情報テーブルに登録されていない時には、前記文字列から企業コード・付与ポイント数などの情報を解読する平仮名暗号照合手段を備えることによって、利用者は、販売促進を行う企業が指定した販促キーワード以外の文字列であっても、前記平仮名暗号照合手段で、正常に暗号が解読され、企業コード・付与ポイント数などの情報が解読された時に、ポイントが付与される。
【００１５】
請求項３記載の発明によれば、請求項１又は２に記載の先着人数を照合する先着人数照合手段と、利用者の性別を照合する性別照合手段と、利用者の年齢を照合する年齢照合手段と、利用者の住まいの地域を照合する地域照合手段を備えることによって、先着人数照合手段で、指定した人数に対してポイントの付与を可能とし、また利用者の性別の照合を行うことによって、例えば女性のみを対象にしたポイントの付与を可能とする。また、利用者の年齢を照合することによって、例えば、年齢２０歳代を対象にしたポイントの付与を可能とする。そして、利用者の住まいの地域を照合することによって、例えば、東京都内の在住の人を対象にポイントの付与をすることもできる。さらに、これらを組合せて照合し、例えば、先着１００名、男性、２０歳代、東京都内在住と限定した会員に対してポイントを付与することも可能となる。
【００１６】
請求項４記載の発明によれば、請求項１乃至３のいずれか１項に記載の前記ポイント管理サーバ内の販促登録情報テーブルに登録された販促条件情報を、前記販促条件情報の販促期間を越えた時に、販促条件情報の削除を行う販促期間照合手段を備えることによって、販促登録情報テーブルに登録された販促条件情報で、販促期間を越えた販促条件情報を定期的に情報の削除を行う。これにより、販促キーワードが、以前登録されたものであっても、再び登録を行うことが可能となる。
【００１７】
請求項５記載の発明によれば、請求項１乃至４のいずれか１項に記載の販促キーワードを平仮名３文字から３１文字の単語又は文章とすることによって、販促キーワードを利用者が覚えやすい意味のある単語又は文章とし、その販促キーワードを紙媒体（雑誌）に印刷された文字列、映像（テレビ）に映る文字列、音声（ラジオ）で表現される文字列など介して伝聞させることができる。また、従来の意味の無い平仮名の文字列などの場合では、機械による音声入力を行う場合、文字列の認識率が低い問題があり、本願発明の如く販促キーワードの文字列が単語や文章とすることにより、機械による音声入力の認識率を向上させることが可能である。
【００１８】
請求項６記載の発明によれば、請求項１乃至５のいずれか１項に記載の入力端未は、ブラウザ機能を搭載した携帯電話機かコンピュータとすることによって、携帯電話機の場合においては、販促キーワードを外出先などで聞いた直後に、携帯電話機を使用して、販促キーワードの入力を行うことができ、利便性が高い。
【発明を実施するための最良の形態】
【００１９】
利用者が入力を行う入力端未と、ポイントの管理を行うポイント管理サーバからなるシステムであって、前記ポイント管理サーバに前記入力端未を使用する利用者の会員情報が会員登録情報テーブルに登録されていない時に、利用者のメールアドレス・性別・年齢などの情報を前記会員登録情報テーブルに登録する会員登録処理手段と、平仮名３文字から３１文字の単語又は文章からなる販促キーワード・販促期間・性別・年齢・地域・付与ポイント数などの販促条件情報を前記ポイント管理サーバ内の販促登録情報テーブルに登録する販促登録処理手段と、前記入力端未より入力された販促キーワードとなる文字列を前記販促登録情報テーブルから照合を行う入力情報照合手段と、前記入力情報照合手段の照合結果により、入力された前記文字列が、販促登録情報テーブルに登録されている時には、入力した会員の会員登録情報テーブルに登録されている会員情報と、販促登録情報テーブルに登録されている販促条件情報に適合するかを判断するポイント付与条件照合手段と、前記入力情報照合手段の照合結果により、入力された前記文字列が、販促登録情報テーブルに登録されていない時には、前記文字列から企業コード・付与ポイント数などの情報を解読する平仮名暗号照合手段と、前記ポイント付与条件照合手段及び前記平仮名暗号照合手段で、照合した結果に応じて、ポイントを付与するポイント付与手段を備えている。
【００２０】
また、ポイント付与条件手段は、先着人数を照合する先着人数照合手段と、利用者の性別を照合する性別照合手段と、利用者の年齢を照合する年齢照合手段と、利用者の住まいの地域を照合する地域照合手段からなる。また、前記ポイント管理サーバ内の販促登録情報テーブルに登録された販促条件情報を、前記販促条件情報の販促期間を越えた時に、販促条件情報の削除を行う販促期間照合手段を備えている。そして、前記入力端未は、ブラウザ機能を搭載した携帯電話機かコンピュータである。
【実施例１】
【００２１】
以下、図を参照して、本発明を適用した実施の形態について説明する。図１は、ポイント管理サーバのシステム構成図である。
【００２２】
図１を用いて、ポイント管理システムの説明を行う。実施例のポイント管理システムは、利用者が入力を行う入力端未と、ポイントの管理を行うポイント管理サーバで構成されている。企業からの販促条件情報に関する販促登録情報をポイント管理サーバに入力を行う。その販促登録情報は、ポイント管理サーバは、販促登録情報テーブルに記憶される。また、企業は、販促条件情報の一部である販促キーワードを、ＴＶ、ラジオ、ＰＯＰなどの広告媒体を通じて、広く利用者に報知する。利用者は、その広告媒体を視聴することによって、販促キーワードを認知することができ、広告媒体を利用することによって、多くの利用者に対して販促キーワードの認知度を高めることができる。その後、利用者は、携帯電話機やコンピュータからなる入力端未からインターネットやネットワーク回線を介してポイント管理サーバに接続し、そのポイント管理サーバで、会員認証を行った後、販促キーワードとなる文字列の入力を行う。その後、ポイント管理サーバは、入力された文字列の照合を行い、照合された結果に応じて、会員情報の保有するポイントに対してポイントの加算を行なわれる。
【００２３】
このように、ポイント管理システムは、広告媒体を視聴した利用者が、入力端未となる携帯電話機やコンピュータを用いてポイント管理サーバに接続し、広告媒体から得られた販促キーワードを入力することによって、容易にポイント付加（インセンティブ）サービスを受けることができるようになる。
【００２４】
次に、ポイント管理サーバの説明を詳細に行う。ポイント管理サーバには、会員に関する情報を記憶した会員登録情報テーブルと、販促条件情報に関する情報を記憶した販促登録情報テーブルが記憶されている。また、ポイント管理サーバは、会員認証手段と、会員登録処理手段と、販促登録処理手段と、販促期間照合手段と、入力情報照合手段と、ポイント付与条件照合手段と、ポイント付与手段で構成されている。
【００２５】
会員認証手段は、利用者が、入力端未からポイント管理サーバに接続した際に、会員であるか否かの認証を行う。ポイント管理サーバは、利用者に対して、会員ＩＤとパスワードの入力を求める。利用者が、会員ＩＤとパスワードの入力を行った後、会員認証手段は、会員登録情報テーブルから入力された会員ＩＤ情報とパスワード情報の検索を行なう。入力された会員ＩＤとパスワードが、登録されている場合、会員であると認証される。また、会員ＩＤ情報とパスワード情報が会員登録情報テーブルに登録されていない場合には、会員登録処理手段で、会員情報の登録が行われる。
【００２６】
また、会員認証手段で、会員であると認証された後、利用者が入力端未上の記憶手段に、会員ＩＤ情報とパスワード情報を記憶させると、次回、ポイント管理サーバに接続した際に、会員認証手段で、利用者が利用する入力端未上の記憶手段に格納されている会員ＩＤ情報とパスワード情報を用いて会員認証が行われ、利用者が再び会員ＩＤ及びパスワードの入力を行う手間を省くことが可能となる。
【００２７】
会員登録処理手段は、利用者が、携帯電話機やコンピュータからなる入力端未からインターネットやネットワーク回線を介してポイント管理サーバに接続し、利用者の会員登録が未登録の状態であった場合、利用者のメールアドレス、性別、年齢を示す生年月日、利用者の住まいの地域を示す郵便番号の入力を行い、入力されたデータを会員登録情報テーブルに記憶させることにより、会員登録処理が行われる。会員登録処理が行われた後、利用者には、会員ＩＤ及びパスワードが発行され、次回にポイント管理サーバに接続する際に、認証として使用できる。図２は、会員登録情報テーブルの一例である。
【００２８】
また会員登録情報テーブルには、先に述べた会員ＩＤ、パスワード、メールアドレス、ニックネーム、性別、生年月日、郵便番号の他に、会員が保有するポイント数を示す保有ポイント数が記憶されている。この他に、例えば、貯まったポイントを現金へとキャッシュバックする際に使用する振込先情報や、過去にポイントを付与した情報に基づいて、利用者の趣味、趣向に関する情報を蓄積するようにしても構わない。
【００２９】
販促登録処理手段は、販促を希望する企業から、平仮名３文字〜３１文字の単語又は文章となる販促キーワード、企業コード番号、付与ポイント、販促期間、先着人数などのポイント付与条件の入力を行い、入力されたデータを販促登録情報テーブルに記憶させることにより、販促登録処理が行われる。図３は、販促登録情報テーブルもの一例である。
【００３０】
販促キーワードは、３字〜３１文字の意味のある単語や文章としている。例えば、販促キーワードには、「おいしい」「すっきり」「とても」などの単語や、「おいしいびーる」「すっきりしたあじわい」などの文章とすることによって、利用者に対して大変覚えやすい文字列とすることができる。このような単語や文章を、雑誌や新聞などの紙媒体に印刷したり、テレビなどの表示される映像にしたり、ラジオなどの音声として表現したりすることによって、販促キーワードを伝聞させることが容易である。また口コミなど人を介しての伝聞も容易であり。この覚えやすい販促キーワードを使用することによる効果は、大きいものである。
【００３１】
この販促キーワードは、販促登録情報テーブルに既に登録されているかの確認を行なった後、販促登録情報テーブルに同じ販促キーワードの登録が有る場合には、販促キーワードの登録を行うことができないようになっており、販促キーワードの二重登録を防止している。
【００３２】
企業コード番号は、企業名を示すコード番号である。例えば、企業コード番号が、「００１」の場合には、「○×企業」、「００２」の場合には、「△□企業」と事前に登録されており、販促条件情報を登録する際には、企業コード番号を入力することにより、企業名が識別される。また、付与ポイントは、利用者に対して付与されるポイント数を示す数値情報であり、例えば、付与ポイントが、「１００」であれば、利用者に対してポイントが１００加算されるようになる。また、販促期間は、任意の期間を設定でき、例えば、「２００Ｘ年１月１日〜期限無し」や、「２００Ｘ年１月１日〜２００Ｘ年１月３１日まで」販売促進を行う企業が任意の期間を設定できるようになっている。
【００３３】
また、先着人数は、ポイントを付与する会員数を制限する際に使用され、例えば、「先着１００名」の場合には、販促キーワードの入力を行った１００人の会員に対して、ポイント付与が行われるようになる。また、これらの他に、抽選及びその当選確率の設定を行うようにしてもよい。
【００３４】
販促期間確認手段は、販促登録情報テーブルに記憶された販促期間を参照し、指定日数や指定時間となる販促期間を越えている販促条件情報を、販促登録情報テーブルから削除を行う。これにより、削除された販促条件情報に使用されていた販促キーワードは、再び登録することが可能とすることもできる。
【００３５】
次に、入力情報照合手段は、利用者が携帯電話機やコンピュータからなる入力端未からインターネットやネットワーク回線を介して、ポイント管理システムに接続し、会員認証された後、販促キーワードとなる文字列の入力を行った際に、販促登録情報テーブルを参照し、入力された文字列が、販促キーワードとして存在するか否かの照合を行う手段である。販促キーワードが販促登録情報テーブルに登録されている場合には、ポイント付与条件照合手段で、ポイント付与条件の照合が行われる。また、販促キーワードが販促登録情報テーブルに登録されていない場合には、入力された文字列を、平仮名暗号照合手段で、文字列の暗号解析が試みられる。
【００３６】
入力情報照合手段による販促キーワードなる文字列の検索は、販促登録情報テーブルより、インデックス検索が行われる。また、この検索を行う時間を短縮するために、最小単位を単語として分類し、例えば、「おいしい」、「とても」、「すっきり」などの販促キーワードにとしてよく使われる単語の重複分を、データベース化にすることにより、検索時間の短縮を行うことが可能である。
【００３７】
企業コード照合手段は、入力された販促キーワードと合致した販促条件情報から企業コードを参照し、照合を行う。
【００３８】
ポイント付与条件照合手段は、先着人数照合手段と、性別照合手段と、年齢照合手段と、地域照合手段で構成されており、利用者が入力した販促キーワードが、販促登録情報テーブルに登録されている際に、入力を行った利用者の会員登録情報テーブルに登録された情報を各々参照し、販促登録情報テーブルに登録されている販促条件情報に適合するか否かを照合する手段である。
【００３９】
先着人数照合手段は、入力された販促キーワードと合致した販促登録情報テーブル内の販促条件情報から、集計人数を参照し、集計人数が、先着人数を越えない場合において、ポイント付与条件を満たしていると照合される。例えば、販促条件情報として、先着人数１００名と登録され、販促キーワードの入力時の集計人数が、７０であった場合には、ポイント付与条件を満たしている。
【００４０】
次に、性別照合手段は、入力された販促キーワードと合致した販促登録情報テーブル内の販促条件情報及び、入力を行った会員の会員登録情報テーブルから各々性別を参照し、販促条件情報の性別条件に対して、会員情報の性別が条件を満たしている場合には、ポイント付与条件を満たしていると照合される。例えば、販促条件情報の性別に、「男女」と登録され、会員情報の性別が「男」であった場合には、ポイント付与条件を満たしていると照合される。
【００４１】
そして、年齢照合手段は、入力された販促キーワードと合致した販促登録情報テーブル内の販促条件情報及び、入力を行った会員の会員登録情報テーブルから各々年齢を参照し、販促条件情報の年齢条件に対して、会員情報の年齢が条件を満たしている場合には、ポイント付与条件を満たしていると照合される。例えば、販促条件情報の年齢に、「２０歳〜２５歳」と登録され、会員情報の年齢が、「２３」であった場合に、ポイント付与条件を満たしていると照合される。
【００４２】
地域照合手段は、入力された販促キーワードと合致した販促登録情報テーブルの販促条件情報及び、入力を行った会員の会員登録情報テーブルから各々地域を参照し、販促条件情報の地域条件に対して、会員情報の地域が条件を満たしている場合には、ポイント付与条件を満たしていると照合される。また、実施例の利用者の住まいの情報の登録にあたり、郵便番号を登録するようになっている。また住まいの情報として、住所や、都道府県や、電話番号の局番などを利用して、地域の特定を行うようにしてもよい。
【００４３】
これらポイント付与条件照合手段の各照合手段の全ての条件を満たしている照合された場合に、ポイント付与条件を満たしたと照合されるようになる。
【００４４】
平仮名暗号照合手段は、販促キーワード照合手段での照合結果で、販促キーワードと照合されなかった場合において、入力された販促キーワードを、平仮名暗号照合手段で、暗号解除を行う。
【００４５】
実施例の平仮名暗号となる文字列は、販促キーワードとは異なり、意味の無い文字列となっている。この平仮名暗号の発行は、利用者が、店舗などで商品を購入した際に発行されるレシートに、印字されているものである。この平仮名暗号は、購入した商品の金額や、店舗（企業）コード、購入時間などの数値から平仮名である「あ」〜「ん」の文字へ変換処理が行われ、意味の無い文字列として生成されている。この意味の無い文字列である平仮名暗号は、販促とは異なる為に、購入した商品の金額に応じたポイント付与が行われるものである。
【００４６】
平仮名暗号照合手段は、入力された平仮名文字列を、「あ」〜「ん」を「００」〜「４６」までの数値情報に置き換えを行う。置き換えられた数値情報を、数値情報の真偽の確認や、企業コードの確認、付与ポイント数の確認を行う所定の処理が行なわれる。この所定の処理の数値情報の真偽確認において、「真」であると照合された場合に、ポイント付与手段にて、ポイント付与が行われるようになる。
【００４７】
ポイント付与手段は、ポイント付与条件照合手段及び平仮名暗号照合手段の照合結果により、会員に対してポイントの付与を行う。販促キーワードが販促登録情報テーブルに登録されている場合に付与されるポイントの数は、入力された販促キーワードと合致した販促登録情報テーブルの販促条件情報から付与ポイント数に記憶された数値を参照し、入力を行った会員の会員登録情報テーブルの保有ポイント数に該数値の加算を行う。また、販促キーワードが販促登録情報テーブルに登録されていない場合に付与されるポイント数は、平仮名暗号照合手段で、暗号解析の結果に応じた数値であり、入力をおこなった会員登録情報テーブルの保有ポイント数に該数値の加算が行われる。
【００４８】
図４を使用し、利用者が販促キーワードを入力し、ポイント付与までの処理の流れ説明する。ポイント管理サーバ内の入力情報照合手段と平仮名暗号照合手段とポイント付与条件照合手段とポイント付与手段の処理の流れである。
【００４９】
Ｓ１００は、「販促キーワード文字列の入力」であり、利用者は、入力端未でポイント管理サーバに接続し、会員認証を行われた後、販促キーワードとなる文字列の入力が行われる。文字列の入力が終了した後、Ｓ１０１に進む。
【００５０】
Ｓ１０１は、「入力された文字列が販促キーワードか？」であり、入力情報照合手段で、利用者が入力した文字列が、販促キーワードとして存在するか否か、販促登録情報テーブルを参照し照合が行われる。照合の結果、入力された文字列が、販促キーワードとして販促登録情報テーブルに登録されている場合には、Ｓ１０３に進む。また、販促登録情報テーブルに登録されていない場合には、Ｓ１０２に進む。
【００５１】
Ｓ１０２は、「入力された文字列が平仮名暗号解析可能か？」であり、平仮名暗号解析手段で、利用者が入力された文字列を数値情報に変換し、所定の変換処理が行われる。この変換処理で、入力された文字列の真偽の確認が行われ、「真」である場合には、企業コードや、付与ポイント数の情報が該文字列より、解読される。正常に解読された場合には、Ｓ１０４に進む。また解除できない場合においては、販促キーワードや特定の文字列情報では無いと判断され、終了となる。
【００５２】
Ｓ１０３は、「企業コードの照合」であり、企業コード照合手段で、販促登録情報テーブルの企業コードの照合が行われる。会員にポイントが付与される場合において、図示しないが会員登録情報テーブルに、ポイントを付与した企業コードが登録される。また、同様に、図示しないが、販売登録情報テーブルに、会員のＩＤ番号が、登録される。企業は、ポイント付与を行った会員に対して、別の販促キーワードを含む販売促進に関するメールを送ることや、広告のメールを送ることができるようになる。企業コードの照合が行われた後、Ｓ１０５に進む。
【００５３】
Ｓ１０４は、Ｓ１０３と同様で「企業コードの照合」であり、企業コード照合手段で、先の平仮名暗号照合手段の所定の変換処理によって解読された数値情報に基づいて企業コードの照合が行われる。この照合の際には、平仮名文字列暗号処理用の情報テーブルが使用される。また、Ｓ１０３同様に、平仮名文字列暗号処理用の情報テーブルに、会員のＩＤ番号が登録され、会員登録情報テーブルには、ポイントを付与した企業コードが登録される。企業コードの照合が行われた後、Ｓ１０９に進む。
【００５４】
Ｓ１０５は、「集計人数は、先着人数を越えているか？」であり、先着人数に対するポイント付与条件を満たしているかの判断が行われる。実施例では、先着人数照合手段で、販促キーワードと合致した販促登録情報テーブル内の販促条件情報から集計人数を参照し、集計人数が、先着人数を越えない場合において、ポイント付与条件を満たしていると照合される。ポイント付与条件を満たしている場合には、Ｓ１０６に進む。また、ポイント付与条件が満たしていない場合には、「先着人数を超えている」旨を、文字列を入力した利用者に対して告知し、終了する。また、ポイント付与条件が満たされポイント付与が行われた際には、集計人数に対して１の加算が行なわれる。
【００５５】
Ｓ１０６は、「性別条件を満たしているか？」であり、会員の性別に対するポイント付与条件を満たしているかの判断が行われる。実施例では、性別照合手段で、販促キーワードと合致した販促登録情報テーブル内の販促条件情報及び、入力を行った会員の会員登録情報テーブルから各々「性別」を参照し、販促条件情報の性別条件に対して、会員情報の性別が条件を満たしている場合には、ポイント付与条件を満たしていると照合される。ポイント付与条件を満たしている場合には、Ｓ１０７に進む。また、ポイント付与条件が満たしていない場合には、「販促対象の性別と合致しません」旨を、文字列を入力した利用者に対して告知し、終了する。
【００５６】
Ｓ１０７は、「年齢条件を満たしているか？」であり、会員の年齢に対するポイント付与条件を満たしているかの判断が行われる。実施例では、年齢照合手段で、販促キーワードと合致した販促登録情報テーブル内の販促条件情報及び、入力を行った会員の会員登録情報テーブルから各々「年齢」を参照し、販促条件情報の年齢条件に対して、会員情報の年齢が条件を満たしている場合には、ポイント付与条件を満たしていると照合される。ポイント付与条件を満たしている場合には、Ｓ１０８に進む。また、ポイント付与条件が満たしていない場合には、「販促対象の年齢と合致しません」旨を、文字列を入力した利用者に対して告知し、終了する。
【００５７】
Ｓ１０８は、「地域条件を満たしているか？」であり、会員の住まいの地域に対するポイント付与条件を満たしているかの判断が行われる。実施例では、地域照合手段で、販促キーワードと合致した販促登録情報テーブル内の販促条件情報及び、入力を行った会員の会員登録情報テーブルから各々「地域」を参照し、販促条件情報の地域条件に対して、会員情報の地域が条件を満たしている場合には、ポイント付与条件を満たしていると照合される。ポイント付与条件を満たしている場合には、Ｓ１０９に進む。また、ポイント付与条件が満たしていない場合には、「販促対象の地域と合致しません」旨を、文字列を入力した利用者に対して告知し、終了する。
【００５８】
Ｓ１０９は、「ポイント付与」であり、ポイント付与手段で、販促キーワードと合致した販促登録情報テーブル内の販促条件情報に登録されている付与ポイント数を参照し、入力を行った会員の会員登録情報テーブルの保有ポイント数に該数値の加算を行う。また、平仮名暗号照合手段を介してポイントが付与される場合においては、文字列の暗号解析の結果に応じた数値であり、入力をおこなった会員登録情報テーブルの保有ポイント数に該数値の加算が行われ、ポイント付与の流れは、終了となる。
【００５９】
次に、ポイント管理システムの効果について説明する。このインターネットやネットワーク回線を利用したポイント管理システムにおいて、販促キーワードとなる文字列を、意味のある単語や文章とすることによって、利用者は、文字列を入力時に神経質に一字一句を確認しながらの入力をする必要はなくなる。また、意味のある単語や文章とすることにより、友達などに教えることは容易であり、口コミを利用した広告効果が得られる。
【００６０】
また、映像や音声などを視聴する場合において、視聴する時間が非常に短い為に、従来の意味の無い文字列の羅列では、利用者が記憶することが難しいことである。例えば、ＵＲＬ「http://www.XXXX.com/」を画像として見たり、言葉で聞いたりしても、利用者は、容易には記憶することは難しい。しかし、販促キーワードを意味のある単語「すっきり」や文章「おいしいびーる」とすることにより、視聴する時間が短い時間であっても、容易に、記憶することができる。また、携帯電話機などの日常的に携行している機械を入力端未として使用できることから、映像や音声などから販促キーワードを聞いた後、すぐにポイント管理サーバに接続し、販促キーワードの入力を行うことができる。
【００６１】
また、販促キーワードとして意味のある単語や文章は、３字〜３１字の平仮名としたが、濁音、半濁音を含む文字や、長音「―」なども使用しても構わない。また、平仮名としたが、カタカナ・英語・漢字など様々な言語でも使用することが可能である。
【００６２】
また、販促キーワードとして「企業名」や「商品名」などを入れることが効果的であり、つまりキャッチコピーをそのまま販促キーワードとして使用でき、様々な効果を生み出すことが可能である。また、販促キーワードを入力するだけで、インセンティブが得られるために、例えば友達への口コミなどで伝染的な広告効果も期待できる。
【００６３】
さらに、視聴者参加型番組などで、リアルタイムに視聴者がインセンティブを得られる番組などが製作可能である。これには番組スポンサーである企業も広告と併用して、販促を行う企業になり得る。
【００６４】
また、利用者が、販促キーワードの入力を行う際に、キーボードなどのキー入力以外に、音声入力によって入力することも可能である。従来の意味の無い文字列においては、「あ」「か」「さ」などの子音の変化を文字ごとに認識することが非常に難しいものであったが、販促キーワードを、意味のある単語や文章とすることによって、音声入力に認識率も向上し、例えば携帯電話機などの非力な機械においても、高い認識率で音声入力を行うこともできる。
【００６５】
以上説明したように構成することにより、インターネットなどのネットワーク回線を利用した販売促進システムであって、販促キーワードを利用者が覚えやすい意味のある単語又は文章とし、その販促キーワードを紙媒体に印刷された文字列、映像に映る文字列、音声で表現される文字列など介して伝聞させることができ、利用者が販促キーワードの入力を行うことにより、ポイント付与を行うことを目的としたポイント管理システムを提供することができる。また、好ましい実施例を挙げて本発明を説明したが、本発明はその実施例に限定されるものではなく、本発明の要旨の範囲内で種々に改変できる。
【図面の簡単な説明】
【００６６】
【図１】本発明に係るポイント管理システムの構成を示している。
【図２】本発明に係るポイント管理システムの会員登録情報テーブルを示す図である。
【図３】本発明に係るポイント管理システムの販促登録情報テーブルを示す図である。
【図４】本発明に係るポイント管理システムのポイント付与までの流れを示す図である。
【図１】
2007047951.tif 000003
【図２】
2007047951.tif 000004
【図３】
2007047951.tif 000005
【図４】
2007047951.tif 000006